(57)【特許請求の範囲】
【請求項１】
一又は複数の天板と、
前記天板の天板面に開口し、又は複数の天板間に形成された配線挿入口と、
前記配線挿入口内又は配線挿入口の下方に所在し、長手方向に沿って伸びる給電用電極を内側に有し、その長手方向の任意の箇所に１又は複数の受電用プラグを挿入可能な給電用開口部を備えた給電レールと
を具備することを特徴とするテーブル。
【請求項２】
前記配線挿入口の下方に設けられ、長手方向に沿って伸びて上方に開放し、かつその長手方向の側面に配線を挿通することが可能な配線引込用開口部を備えた配線支持具をさらに具備し、
この配線支持具に前記給電レールが設置されている請求項１記載のテーブル。
【請求項３】
天板と、
前記天板の天板面に設置され、長手方向に沿って伸びる給電用電極を内側に有し、その長手方向の任意の箇所に１又は複数の受電用プラグを挿入可能な給電用開口部を備えた給電レールと
を具備するテーブルであって、
前記給電レールが、前記給電用電極の長手方向とは交差する短手方向に沿って相反する両方向に開口する複数の前記給電用開口部を備えていることを特徴とするテーブル。
【請求項４】
一又は複数の天板と、
前記天板の天板面に開口し、又は複数の天板間に形成された配線挿入口と、
前記配線挿入口を閉塞すべく設けられた蓋体と、
前記蓋体の一方の面に設置され、長手方向に沿って伸びる給電用電極を内側に有し、その長手方向の任意の箇所に１又は複数の受電用プラグを挿入可能な給電用開口部を備えた給電レールと
を具備することを特徴とするテーブル。
【請求項５】
前記給電レールは、前記給電用電極の長手方向とは交差する短手方向に沿って相反する両方向に開口する複数の前記給電用開口部を備えている請求項１、２又は４記載のテーブル。
【請求項６】
前記給電レールは、上方に開口する前記給電用開口部を備えている請求項１、２又は４記載のテーブル。
【請求項７】
前記給電用開口部が、前記給電レールの略全域にわたって設けられている請求項１、２、３、４、５又は６記載のテーブル。
【発明の詳細な説明】
【技術分野】
【０００１】
本発明は、天板面上に置かれた電気機器に給電する機能を有するテーブルに関する。
【背景技術】
【０００２】
従来より、天板に開口を設け、この開口の下方にコンセント保持体を設け、このコンセント保持体に給電コンセントを保持させるようにしたテーブルが知られている（例えば、特許文献１を参照）。
【０００３】
上記の構造では、天板の使用端に向かって着座した使用者が、天板に載せ置いたパソコン等の電気機器の電源ケーブルを開口に挿入し、その先端のプラグを給電コンセントに差し込み、給電を受けることができる。
【０００４】
ところで、複数名の使用者が同時に使用する大型のテーブルにおいては、各使用者がそれぞれ持ち寄った電気機器のプラグを給電コンセントに接続しようとする。
【０００５】
しかし、多人数が同時に使用する場合等には、電気機器の個数が多くなり、コンセントの数が不足するおそれがある。また、コンセントと電気機器との位置関係によっては、電源ケーブルがコンセントに届かないという不具合も発生しうる。
【先行技術文献】
【特許文献】
【０００６】
【特許文献１】特開２００２−８４６３９号公報
【発明の概要】
【発明が解決しようとする課題】
【０００７】
本発明は、複数の電気機器に同時に給電可能であり、また、天板上における電気機器の配置の自由度を高めることができるテーブルを実現することを目的とする。
【課題を解決するための手段】
【０００８】
すなわち本発明に係るテーブルは、一又は複数の天板と、前記天板の天板面に開口し、又は複数の天板間に形成された配線挿入口と、前記配線挿入口内又は配線挿入口の下方に所在し、長手方向に沿って伸びる給電用電極を内側に有し、その長手方向の任意の箇所に１又は複数の受電用プラグを挿入可能な給電用開口部を備えた給電レールとを具備することを特徴とする。
【０００９】
本テーブルでは、給電レールが有する給電用電極と受電用プラグが有する受電用電極とを電気的に接続することにより、受電用プラグ経由で電気機器への給電を行う。給電用電極が長手方向に沿って伸びていることから、使用者はその長手方向の任意の位置を選択して受電用プラグを接続し、給電を受けることが可能である。
【００１０】
前記配線挿入口の下方に設けられ、長手方向に沿って伸びて上方に開放し、かつその長手方向の側面に配線を挿通することが可能な配線引込用開口部を備えた配線支持具をさらに具備し、この配線支持具に前記給電レールが設置されているものであれば、受電用プラグに繋がる電源ケーブルを、配線引込用開口部を介して天板面上にない電気機器に結線し、当該電気機器に給電を行うことができる。
【００１１】
また、本発明に係る他のテーブルは、天板と、前記天板の天板面に設置され、長手方向に沿って伸びる給電用電極を内側に有し、その長手方向の任意の箇所に１又は複数の受電用プラグを挿入可能な給電用開口部を備えた給電レールとを具備するテーブルであって、前記給電レールが、前記給電用電極の長手方向とは交差する短手方向に沿って相反する両方向に開口する複数の前記給電用開口部を備えていることを特徴とする。
【００１２】
本テーブルでも、給電レールが有する給電用電極と受電用プラグが有する受電用電極とを電気的に接続することにより、受電用プラグ経由で電気機器への給電を行う。給電用電極が長手方向に沿って伸びていることから、使用者はその長手方向の任意の位置を選択して受電用プラグを接続し、給電を受けることが可能である。その上、前記給電レールが、前記給電用電極の長手方向とは交差する短手方向に沿って相反する両方向に開口する複数の前記給電用開口部を備えているので、これら複数の給電用開口部が開口するいずれの方向からも給電用開口部に受電用プラグを接続できる。すなわち、給電レールを挟んでこれら複数の給電用開口部が開口する両側にそれぞれ配置した電気機器の受電用プラグを、容易に給電用開口部に接続できる。
【００１３】
また、本発明に係るさらに他のテーブルは、一又は複数の天板と、前記天板の天板面に開口し、又は複数の天板間に形成された配線挿入口と、前記配線挿入口を閉塞すべく設けられた蓋体と、前記蓋体の一方の面に設置され、長手方向に沿って伸びる給電用電極を内側に有し、その長手方向の任意の箇所に１又は複数の受電用プラグを挿入可能な給電用開口部を備えた給電レールとを具備することを特徴とする。
【００１４】
本テーブルでも、給電レールが有する給電用電極と受電用プラグが有する受電用電極とを電気的に接続することにより、受電用プラグ経由で電気機器への給電を行う。給電用電極が長手方向に沿って伸びていることから、使用者はその長手方向の任意の位置を選択して受電用プラグを接続し、給電を受けることが可能である。
【００１５】
請求項１、２又は４記載のテーブルであっても、前記給電レールが、前記給電用電極の長手方向とは交差する短手方向に沿って相反する両方向に開口する複数の前記給電用開口部を備えているものであれば、これら複数の給電用開口部が開口するいずれの方向からも給電用開口部に受電用プラグを接続できる。すなわち、給電レールを挟んでこれら複数の給電用開口部が開口する両側にそれぞれ配置した電気機器の受電用プラグを、容易に給電用開口部に接続できる。
【００１６】
あるいは、前記給電レールが、上方に開口する前記給電用開口部を備えているものであってもよい。このようなものであっても、給電レールを挟んで両側にそれぞれ配置した電気機器の受電用プラグを、上方から容易に給電用開口部に接続できる。
【００１７】
前記給電用開口部が、前記給電レールの略全域にわたって設けられていれば、給電レールに対する電気機器の配置の自由度を一層高めることができる。
【発明の効果】
【００１８】
本発明によれば、複数の電気機器に同時に給電可能であり、また、天板上における電気機器の配置の自由度を高めることができるテーブルを実現できる。
【図面の簡単な説明】
【００１９】
【図１】本発明の第一実施形態に係るテーブルを示す斜視図。
【図２】同実施形態に係るテーブルを示す平面図。
【図３】同実施形態に係るテーブルを示す側面図。
【図４】同実施形態に係るテーブルを示す正面図。
【図５】同実施形態に係る給電レールへの電源ケーブルの接続態様を示す図。
【図６】同実施形態に係るテーブルの要部を示す側断面図。
【図７】図６における要部を拡大して示す図。
【図８】本発明の第二実施形態に係るテーブルを示す斜視図。
【図９】同実施形態に係るテーブルの要部を示す側断面図。
【図１０】本発明の第三実施形態に係るテーブルを示す斜視図。
【図１１】同実施形態に係るテーブルの要部を示す側断面図。
【図１２】同実施形態に係るテーブルの要部を示す側断面図。
【発明を実施するための形態】
【００２０】
以下、本発明の第一実施形態を、図１〜図７を参照して説明する。
【００２１】
本実施形態に係るテーブルＴ１は、図１〜図４に示すように、主としてオフィスの会議室等で利用される大型のもので、配線挿入口１ｂを備え平面視略矩形状をなす天板１と、前記天板１を支持する脚２と、天板１の配線挿入口１ｂの下方に設けられた配線支持具３と、この配線支持具３に設置され天板１上のパソコンやタスクライト等の電気機器Ｅに電力を供給するための給電レール４と、天板１の配線挿入口１ｂを閉塞しておくための蓋体５とを具備する。
【００２２】
天板１は、図１〜図３に示すように、少なくとも奥行き方向両端を使用端１ａとして使用できる。この天板１の両使用端１ａに向かって複数名が、デスクトップパネル等で天板１上の領域を区切らない状態で、場所を定めずにそれぞれ着座可能である。また、天板１の両使用端１ａから略等距離に位置する奥行き方向中央部に、巾方向に沿って開口する配線挿入口１ｂが形成されている。この配線挿入口１ｂの前縁及び後縁の上部には、上方に向かって拡開するような傾斜面１ｂ１を設けている。そして、この配線挿入口１ｂの下方に、配線支持具３が配置されている。
【００２３】
配線支持具３は、図３、図５、及び図６に示すように、配線挿入口１ｂの下方に位置し長手方向、具体的には天板１の巾方向に沿って伸びて上向きコの字状に開口するチャネル状の配線支持具本体３１と、この配線支持具本体３１の長手方向両側方に設けられ、配線支持具本体３１を天板１に垂下させた状態で支持させるための支持部３２とを具備する。支持部３２には、配線支持具本体３１上の領域を外側方に連通させるための配線引込用開口部３２ａを備えている。そして、本実施形態では、配線支持具本体３１上に給電レール４が設置されている。
【００２４】
給電レール４は、図５、図６、及び図７に示すように、図示しない蓄電池や商用電源等の外部電源から電力の供与を受け、その電力を天板１上の電気機器Ｅに供給するための給電用電極４１ａ、４１ｂを備えている。この給電レール４は、等断面形状をなしつつ巾方向に伸長している。より具体的には、この給電レール４は、側断面視概略Ｓ字状をなしている。そして、この給電レール４は、上方に開口する給電用開口部４ａと、下方に開口する受電用開口部４ｂを有している。
【００２５】
給電用開口部４ａは、図５、図６、及び図７に示すように、電気機器Ｅから伸びる電源ケーブルＥ１の先端に設けられた受電用プラグＥ１ａを受け入れ、その受電用プラグＥ１ａを経由して電気機器Ｅに給電を行うものである。給電用開口部４ａの内周面、換言すれば前壁面及び後壁面の一方には、第１の給電用電極４１ａ、他方には、第２の給電用電極４１ｂがそれぞれ設けられている。詳述すると、給電用開口部４ａ内に、給電用電極４１ａ、４１ｂを支持する電極部材４１が挿入されている。電極部材４１は、側面視略くの字状をなし、その前壁部及び後壁面の一方に第１の給電用電極４１ａ、他方に第２の給電用電極４１ｂを形成してなる。この電極部材４１の給電用電極４１ａ、４１ｂ以外の部位は、絶縁体、例えば樹脂製とする。第１の給電用電極４１ａの高さ方向位置と、第２の給電用電極４１ｂの高さ方向位置とは異なっている。電極部材４１及び給電用電極４１ａ、４１ｂは、給電用開口部４ａとともに、長手方向すなわち巾方向に連続的に延伸している。それゆえ、電気機器Ｅの受電用プラグＥ１ａは、給電用開口部４ａの長手方向の任意の箇所に挿入することが可能であり、その受電用プラグＥ１ａの個数も一定数に制限されない。
【００２６】
受電用プラグＥ１ａについて補足すると、電気機器Ｅに電気的に接続した一対の受電用電極Ｅ１ｘ、Ｅ１ｙを設けている。一方の受電用電極Ｅ１ｘの高さ方向位置と他方の受電用電極Ｅ１ｙの高さ方向位置とは異なっており、受電用電極Ｅ１ｘは給電用電極４１ａにのみ接触可能、受電用電極Ｅ１ｙは給電用電極４１ｂにのみ接触可能である。さらに、この受電用プラグＥ１ａには、給電レール４（の開口端近傍）に予め形成された凹部４ｄに係り合うことができる係止爪Ｅ１ｚが設けられている。この係止爪Ｅ１ｚは、受電用プラグＥ１ａを給電レール４に対して抜き挿しする動作に伴い、給電用開口部４ａの内周面に接触して弾性変形し、没入することが可能である。
【００２７】
受電用開口部４ｂは、外部電源から伸びる電源ケーブルの先端に設けられた図示しない給電プラグを受け入れるものである。これら受電用開口部４ｂ及び給電プラグは、上述した給電用開口部４ａ及び受電用プラグＥ１ａと同様の構成を有する。受電用開口部４ｂ内の電極４１ａ、４１ｂと、給電用開口部４ａ内の電極４１ａ、４１ｂとはそれぞれ、相互に電気的に接続している。
【００２８】
蓋体５は、図６に示すように、下面に設けられた取付爪５１を天板１の配線挿入口１ｂの側面に設けられた蓋取付突起１ｂ２に係り合わせることにより天板１に装着可能であり、かつ取付爪５１を弾性変形させて蓋取付突起１ｂ２との係り合いを解除することにより天板１から取り外し可能である。蓋体５は、天板１に装着した状態で、その上面が天板面１ｃと略面一である。一方、蓋体５の下面の前後両側縁部には、天板１に装着した状態で、配線挿入口１ｂの傾斜面１ｂ１と対向する傾斜面５ｂが設けられている。また、蓋体５の前後両端縁はいずれも配線挿入口１ｂの前後縁より内側に位置する。これにより、蓋体５と、配線挿入口１ｂとの間に、電源ケーブルＥ１を挿し通すことが可能な隙間が形成される。
【００２９】
本実施形態では、天板１の使用縁から離間した位置の下方に配した配線支持具３に、巾方向に沿って給電レール４を支持させ、この給電レール４の給電用開口部４ａの内側にその長手方向に沿って伸びる給電用電極４１ａ、４１ｂを設け、この給電用電極４１ａ、４１ｂと電気機器Ｅの受電用プラグＥ１ａとを電気的に接続することにより電気機器Ｅへの給電を行うようにしている。従って、この給電用開口部４ａ内の任意の位置に電気機器Ｅの受電用プラグＥ１ａを接続して給電を受けることができるので、使用端１ａのどの位置に向かって着座しても、電気機器Ｅを利用可能である。さらに、使用端１ａに向かって多数名が着座しても、さらに、使用する電気機器Ｅが多数であっても、電気機器Ｅを同時に利用可能である。そして、このような構成により、天板１上における電気機器Ｅの配置の自由度を高めることができる。
【００３０】
また、天板１の奥行き方向中央部に幅方向に伸びる配線挿入口１ｂを設け、この配線挿入口１ｂの下方に前記給電レール４を設けているので、電源ケーブルＥ１を配線挿入口１ｂに挿し通し、挿入部Ｅ１ａを給電レール４に接続することにより給電を行うことができる。従って、天板面１ｃ上の見栄えを整えつつ、どの位置に向かって着座した者の使用する電気機器Ｅにも給電を行いうるという効果が得られる。
【００３１】
さらに、前記配線挿入口１ｂを閉塞可能な蓋体５を取り付け可能にしているので、蓋体５を装着した状態で蓋体５と配線挿入口１ｂとの間の隙間に電源ケーブルＥ１を挿し通すようにして、天板面１ｃ上の見栄えをさらに整えることができる。
【００３２】
配線支持具３の長手方向の側面に配線引込用開口部３２ａを備えているので、受電用プラグＥ１ａに繋がる電源ケーブルＥ１を、配線引込用開口部３２ａを介して天板面１ｃ上にない電気機器に結線し、当該電気機器にも給電を行うことができる。
【００３３】
加えて、前記給電レール４が、上方に開口する前記給電用開口部４ａと、下方に開口する受電用開口部４ｂとを有するので、下方から給電用プラグを受電用開口部４ｂに挿入してそこから給電用開口部４ａ内の電極４１ａ、４１ｂに電力を印加することができる。その上で、上方から給電用プラグＥ１ａを給電用開口部４ａに挿入して、テーブルＴの前後の使用端１ａのどちらにある電気機器Ｅにも簡便に給電することができる。
【００３４】
そして、前記給電用開口部４ａが、給電レール４の略全域にわたって伸びるので、巾方向のどの位置にある電気機器Ｅにも簡便に給電することができる。
【００３５】
なお、本実施形態は種々に変更してよい。
【００３６】
例えば、２枚の天板を、それらの反使用端同士を対向させ両天板間に配線挿入口を設けた状態で脚構造体に支持させるとともに、この配線挿入口の下方に配線支持具を設け、この配線支持具に給電レールを設置する態様を採用してもよい。
【００３７】
蓋体の少なくとも使用端縁に向かう縁部を弾性変形可能に構成し、蓋体の縁部を弾性変形させて配線挿入口の上方から下方に電源ケーブルを挿し通す態様を採用してもよい。蓋体を省略することも許される。
【００３８】
天板に、上方に開口する有底の凹部を設け、その開口縁を配線挿入口とし、凹部内に給電レール又は給電レールを含む配線支持具を配してもよい。
【００３９】
給電レールの一部又は全部を天板面より上方に浮上させることができるように、給電レール又は配線支持具を昇降させるための昇降機構を設けてもよい。
【００４０】
そして、上記実施形態では、給電用開口部が上方に開口したものであったが、後述する第二実施形態又は第三実施形態のごとく、前後方向に給電用開口部が開口しているように給電用レールを設置してもかまわない。
【００４１】
次いで、本発明の第二実施形態を、図８〜図９を参照して説明する。なお、前述した第一実施形態におけるものに対応する部位には、それぞれ同一の名称及び符号を付している。
【００４２】
本実施形態に係るテーブルＴ２も、図８に示すように、主としてオフィスの会議室等で利用される大型のものであり、略矩形状をなす天板１と、前記天板１を支持する脚２と、天板１の奥行き方向中央部に設置された、天板１上の電気機器Ｅに電力を供給するための給電レールＡ４とを具備する。
【００４３】
天板１は、図８に示すように、少なくとも奥行き方向両端を使用端１ａとして使用できる。この天板１の両使用端１ａに向かって複数名が、デスクトップパネル等で天板１上の領域を区切らない状態で、場所を定めずにそれぞれ着座可能である。そして、上述したように、この天板１の奥行き方向中央部に給電レールＡ４を設置している。
【００４４】
給電レールＡ４は、図示しない蓄電池や商用電源等の外部電源から電力の供与を受け、その電力を天板１上の電気機器Ｅに供給するための給電用電極Ａ４１ａ、Ａ４１ｂを備えている。この給電レールＡ４は、図９に示すように、等断面形状をなしつつ天板１の巾方向に伸長している。より具体的には、給電レールＡ４は、側断面視概略Ｓ字状をなしている。さらに、給電レールＡ４は、長手方向の両側面、具体的には前後両側面に電気機器Ｅの電源ケーブルＥ１の先端に設けた挿入部たる受電用プラグＥ１ａを挿入させるための給電用開口部Ａ４ａを有している。
【００４５】
給電用開口部Ａ４ａは、図９に示すように、電気機器Ｅから伸びる電源ケーブルＥ１の先端に設けられた受電用プラグＥ１ａを受け入れ、その受電用プラグＥ１ａを経由して電気機器Ｅに給電を行うものである。給電用開口部Ａ４ａの内周面、換言すれば上壁面及び下壁面の一方には、第１の給電用電極Ａ４１ａ、他方には、第２の給電用電極Ａ４１ｂがそれぞれ設けられている。詳述すると、給電用開口部Ａ４ａ内に、給電用電極Ａ４１ａ、Ａ４１ｂを支持する電極部材Ａ４１が挿入されている。電極部材Ａ４１は、側面視略くの字状をなし、その上壁部及び下壁面の一方にとなる第１の給電用電極Ａ４１ａ、他方に第２の電用電極Ａ４１ｂを形成してなる。この電極部材Ａ４１の給電用電極Ａ４１ａ、Ａ４１ｂ以外の部位は、絶縁体、例えば樹脂製とする。第１の給電用電極Ａ４１ａの奥行き方向位置と、第２の給電用電極Ａ４１ｂの奥行き方向位置とは異なっている。電極部材Ａ４１及び給電用電極Ａ４１ａ、Ａ４１ｂは、給電用開口部Ａ４ａとともに、長手方向すなわち巾方向に連続的に延伸している。それゆえ、電気機器Ｅの受電用プラグＥ１ａは、給電用開口部４ａの長手方向の任意の箇所に挿入することが可能であり、その受電用プラグＥ１ａの個数も一定数に制限されない。ここで、給電レールＡ４に設けた２つの給電用開口部４ａ内部の構成は同一である。また、受電用プラグＥ１ａは、上述した第一実施形態におけるものを水平軸周りに９０度回転させた状態で使用する。なお、外部電源からこの給電レールＡ４への電力の供与は、この給電レールＡ４の端部に設けた図示しない給電キャップを介して行う。
【００４６】
本実施形態では、天板１の使用縁から離間した位置に巾方向に沿って伸びる給電レールＡ４を配し、この給電レールＡ４の給電用開口部Ａ４ａの内側にその長手方向に沿って伸びる給電用電極Ａ４１ａ、Ａ４１ｂを設け、この給電用電極Ａ４１ａ、Ａ４１ｂと電気機器Ｅとを電気的に接続することにより電気機器Ｅへの給電を行うようにしている。従って、この給電用開口部Ａ４ａ内の任意の位置に電気機器Ｅの受電用プラグＥ１ａを接続して給電を受けることができるので、使用端１ａのどの位置に向かって着座しても、電気機器Ｅを利用可能である。さらに、使用端１ａに向かって多数名が着座しても、さらに、使用する電気機器Ｅが多数であっても、電気機器Ｅを同時に利用可能である。そして、このような構成により、天板１上における電気機器Ｅの配置の自由度を高めることができる。
【００４７】
また、前記給電用電極Ａ４１ａ、Ａ４１ｂの長手方向すなわち天板１の巾方向とは交差する短手方向に沿って相反する両方向、具体的には前後両方向に前記給電用開口部Ａ４ａを開口させているので、前方又は後方のいずれからも、受電用プラグＥ１ａを給電用開口部Ａ４ａに挿入し、給電用開口部Ａ４ａ内の電極Ａ４１ａ、Ａ４１ｂに電力を印加することができる。従って、給電レールＡ４を挟んで前後いずれの側に配した電気機器Ｅの受電用プラグＥ１ａも容易に給電用開口部に接続できる。すなわち、電気機器Ｅに給電させるための操作を簡単に行うことができる。
【００４８】
そして、前記給電用開口部Ａ４ａ及び給電用電極Ａ４１ａ、Ａ４１ｂが、給電レールＡ４の略全域にわたって伸びるので、巾方向のどの位置にある電気機器Ｅにも簡便に給電することができる。
【００４９】
なお、本実施形態は種々に変更してよい。
【００５０】
例えば、上記実施形態では、前後方向に給電用開口部が開口しているように給電用レールを設置したものであったが、前述した第一実施形態のごとく、給電用開口部が上方に開口したものであってもかまわない。
【００５１】
また、上記実施形態において、外部電源から給電レールＡ４への電力の供与を以下のようにして行ってもよい。すなわち、外部電源から伸びる電源ケーブルの先端に設けられた図示しない給電プラグをこの給電レールＡ４の一方の給電用開口部Ａ４ａ内に挿入し、給電レールＡ４の端部に設けた図示しないキャップに設けた導体により両給電用開口部Ａ４ａ内の第１の給電用電極Ａ４１ａ同士、及び第２の給電用電極Ａ４１ｂ同士をそれぞれ接続する態様を採用してもよい。
【００５２】
次いで、本発明の第三実施形態を、図１０〜図１２を参照して説明する。なお、前述した第一実施形態におけるものに対応する部位には、それぞれ同一の名称及び符号を付している。
【００５３】
本実施形態に係るテーブルたるテーブルＴ３も、図１０に示すように、主としてオフィス等で利用されるもので、略矩形状をなし上下に貫通する配線挿入口１ｂを中央部に備える天板１と、前記天板１を支持する脚２と、天板１の配線挿入口１ｂを閉塞しておくための蓋体Ｂ５と、蓋体Ｂ５の一表面に一体的に設けられてなり、図示しない外部の電源装置に電気的に接触するとともに天板１上のパソコン等の電気機器Ｅに電力を供給するための給電レールＢ４とを具備する。
【００５４】
天板１は、図１０に示すように、少なくとも奥行き方向両端を使用端１ａとして使用できる。この天板１の両使用端１ａに向かって複数名が、デスクトップパネル等で天板１上の領域を区切らない状態で、場所を定めずにそれぞれ着座可能である。また、上述したように、この天板１の中央部に、上下に貫通する配線挿入口１ｂを形成してなる。この配線挿入口１ｂは、蓋体Ｂ５により閉塞可能である。
【００５５】
蓋体Ｂ５は、図１１及び図１２に示すように、板状をなす部材であり、第１の板面Ｂ５ａ又は第２の板面Ｂ５ｂのいずれかを上方に向けた状態で、天板１に装着可能である。この蓋体Ｂ５は、天板１に装着した状態で、第１の板面Ｂ５ａ又は第２の板面Ｂ５ｂのうち上方を向く面が天板面１ｃと面一である。そして、上述したように、この蓋体Ｂ５の一表面、具体的には第１の板面Ｂ５ａに給電レールＢ４を一体的に設けている。
【００５６】
給電レールＢ４は、図１１に示すように、前述した第二実施形態における給電レールＡ４と同様の構成を有する。すなわち、図示しない蓄電池や商用電源等の外部電源から電力の供与を受け、その電力を天板１上の電気機器Ｅに供給するための給電用電極Ｂ４１ａ、Ｂ４１ｂを備えている。この給電レールＢ４は、等断面形状をなしつつ巾方向に伸長している。より具体的には、給電レールＢ４は、側断面視概略Ｓ字状をなしている。さらに、給電レールＢ４は、長手方向の両側面、具体的には前後両側面に電気機器Ｅの電源ケーブルＥ１の先端に設けた挿入部たる受電用プラグＥ１ａを挿入させるための給電用開口部Ｂ４ａを有している。この給電用開口部Ｂ４ａの内部の構造は、前述した第二実施形態における給電レールＡ４の給電用開口部Ａ４ａにおけるものと全く同一であるので、詳細な説明は省略する。なお、図１１及び以下の説明において、前述した第二実施形態における給電レールＡ４におけるものに対応する各部位には、同一の名称及び１桁目のＡをＢに替えた符号を付している。また、受電用プラグＥ１ａは、上述した第一実施形態におけるものを水平軸周りに９０度回転させた状態で使用する。なお、外部電源からこの給電レールＢ４への電力の供与は、この給電レールＢ４の端部に設けた図示しない給電キャップを介して行う。
【００５７】
電気機器Ｅに給電する際には、まず、図１１に示すように、給電レールＢ４が蓋体Ｂ５の上方に位置する姿勢、すなわち蓋体Ｂ５の第１の板面Ｂ５ａが上方を向く姿勢で蓋体Ｂ５を天板１の配線挿入口１ｂに装着し、次いで、この給電レールＢ４を外部電源に接続する。それから、電気機器Ｅの電源ケーブルＥ１の先端に設けた受電用プラグＥ１ａを給電レールＢ４の給電用開口部Ｂ４ａ内に挿入する。すると、受電用プラグＥ１ａに構成した受電用電極Ｅ１ｘ、Ｅ１ｙと給電用開口部Ｂ４ａ内の給電用電極Ｂ４１ａ、Ｂ４１ｂとが電気的に接続される。
【００５８】
一方、本実施形態では、給電レールＢ４を使用しない際には、図１２に示すように、この給電レールＢ４が蓋体Ｂ５の下方に位置する姿勢、すなわち蓋体Ｂ５の第２の板面Ｂ５ｂが上方を向くように蓋体Ｂ５を天板１の配線挿入口１ｂに装着するようにしている。このとき、図１１に示すように、蓋体Ｂ５の上面すなわち第２の板面Ｂ５ｂの全体が、天板面１ｃと面一をなす。
【００５９】
本実施形態では、天板１の中央部の配線挿入口１ｂに蓋体Ｂ５を装着可能にしているとともに、この蓋体Ｂ５の第１の板面Ｂ５ａに巾方向に沿って伸びる給電レールＢ４を設けている。さらに、この給電レールＢ４の給電用開口部Ｂ４ａの内側にその長手方向に沿って伸びる給電用電極Ｂ４１ａ、Ｂ４１ｂを設け、この給電用電極Ｂ４１ａ、Ｂ４１ｂと電気機器Ｅとを電気的に接続することにより電気機器Ｅへの給電を行うようにしている。従って、この給電用開口部Ｂ４ａ内の任意の位置に電気機器Ｅの電源ケーブルＥ１を接続することにより給電を行えるので、使用端１ａのどの位置に向かって着座しても、また、使用端１ａに向かって多数名が着座しても、さらに、使用する電気機器Ｅが多数であっても、電気機器Ｅを利用可能である。そして、このような構成により、天板１上における電気機器Ｅの配置の自由度を高めることができる。
【００６０】
前記給電用電極Ｂ４１ａ、Ｂ４１ｂの長手方向すなわち天板１の巾方向とは交差する短手方向に沿って相反する両方向、具体的には前後両方向に前記給電用開口部Ｂ４ａを開口させているので、前方又は後方のいずれからも、受電用プラグＥ１ａを給電用開口部Ｂ４ａに挿入し、給電用開口部Ｂ４ａ内の電極Ｂ４１ａ、Ｂ４１ｂに電力を印加することができる。従って、給電レールＢ４を挟んで前後いずれの側に配した電気機器Ｅの受電用プラグＥ１ａも容易に給電用開口部Ｂ４ａに接続できる。すなわち、電気機器Ｅに給電させるための操作を簡単に行うことができる。
【００６１】
前記給電用開口部Ｂ４ａ及び給電用電極Ｂ４１ａ、Ｂ４１ｂが、給電レールＢ４の略全域にわたって伸びるので、巾方向のどの位置にある電気機器Ｅにも簡便に給電することができる。
【００６２】
天板１中央部の配線挿入口１ｄを閉塞可能な蓋体Ｂ５を取り付け可能であるとともに、この蓋体Ｂ５に給電レールＢ４を固定して設けているので、電気機器Ｅを使用する場合には、給電レールＢ４を蓋体Ｂ５の上方に位置付けた状態で蓋体Ｂ５により天板１中央部の配線挿入口１ｄを閉塞し、給電レールＢ４を介して電気機器Ｅに給電することができる。一方、電気機器Ｅを使用しない場合には、給電レールＢ４を蓋体Ｂ５の上方に位置付けた状態で蓋体Ｂ５により天板１中央部の配線挿入口１ｄを閉塞し、蓋体Ｂ５の上面の全体を天板面１ｃと面一にすることで、天板１の見栄えを整えることができる。
【００６３】
なお、本実施形態は種々に変更してよい。
【００６４】
例えば、上記実施形態では、前後方向に給電用開口部が開口しているように給電用レールを設置したものであったが、前述した第一実施形態のごとく、給電用開口部が上方に開口したものであってもかまわない。
【００６５】
また、上記実施形態において、外部電源から給電レールＢ４への電力の供与を以下のようにして行ってもよい。すなわち、外部電源から伸びる電源ケーブルの先端に設けられた図示しない給電プラグをこの給電レールＢ４の一方の給電用開口部Ｂ４ａ内に挿入し、給電レールＢ４の端部に設けた図示しないキャップに設けた導体により両給電用開口部Ｂ４ａ内の第１の給電用電極Ｂ４１ａ同士、及び第２の給電用電極Ｂ４１ｂ同士をそれぞれ接続する態様を採用してもよい。
【００６６】
その他、本発明の趣旨を損ねない範囲で種々に変形してよい。
【符号の説明】
【００６７】
Ｔ１、Ｔ２、Ｔ３…テーブル
１…天板
４、Ａ４、Ｂ４…給電レール
４ａ、Ａ４ａ、Ｂ４ａ…給電用開口部
４１ａ、４１ｂ…給電用電極
Ａ４１ａ、Ａ４１ｂ…給電用電極
Ｂ４１ａ、Ｂ４１ｂ…給電用電極
【図１】
0005613897.tif 000002
【図２】
0005613897.tif 000003
【図３】
0005613897.tif 000004
【図４】
0005613897.tif 000005
【図５】
0005613897.tif 000006
【図６】
0005613897.tif 000007
【図７】
0005613897.tif 000008
【図８】
0005613897.tif 000009
【図９】
0005613897.tif 000010
【図１０】
0005613897.tif 000011
【図１１】
0005613897.tif 000012
【図１２】
0005613897.tif 000013